(57)【特許請求の範囲】
【請求項１】
検索キーワードを受け付けて検索を行い、その検索キーワードを含む検索ログ情報を生成して保存するという処理を行う検索システムにより生成された検索ログ情報を使って、電子掲示板を自動作成する電子掲示板作成装置であって、
上記検索システムへの検索要求で指定された検索キーワードが掲示板のキーワードを保持する保持手段に保持されていない場合に、上記検索ログ情報を参照することで、その検索キーワードについての検索情報を取得する手段と、
上記取得された検索情報に従って、上記検索キーワードの利用要求の大きさを評価し、それに基づいて、その検索キーワードについての掲示板を新規に作成するのか否かを判断して、新規に作成することを判断する場合に、その検索キーワードを掲示板キーワードとする掲示板を作成する手段とを備えることを、
特徴とする電子掲示板作成装置。
【請求項２】
検索キーワードを受け付けて検索を行い、その検索キーワードを含む検索ログ情報を生成して保存するという処理を行う検索システムにより生成された検索ログ情報を使って、電子掲示板を自動作成する電子掲示板作成装置であって、
上記検索ログ情報を参照することで、上記検索ログ情報に記録されている各検索キーワードについての検索情報を取得する手段と、
上記取得された検索情報に従って、上記各検索キーワードの利用要求の大きさを評価し、それに基づいて、利用要求の大きい検索キーワードを登録候補のキーワードとして特定し、利用要求の小さい検索キーワードを削除候補のキーワードとして特定する手段と、
上記特定された登録候補のキーワードが掲示板のキーワードを保持する保持手段に保持されていない場合に、その登録候補のキーワードを登録対象のキーワードとして決定し、上記特定された削除候補のキーワードがその保持手段に保持されている場合に、その削除候補のキーワードを削除対象のキーワードとして決定する手段と、
上記登録対象として決定されたキーワードを掲示板キーワードとする掲示板を作成し、上記削除対象として決定されたキーワードを掲示板キーワードとする掲示板を削除する手段とを備えることを、
特徴とする電子掲示板作成装置。
【請求項３】
請求項２に記載の電子掲示板作成装置において、
上記検索システムへの検索要求で指定された検索キーワードを掲示板キーワードとする掲示板が作成されていないときに、上記取得する手段を起動することで、掲示板の新規作成を制御する手段を備えることを、
特徴とする電子掲示板作成装置。
【請求項４】
取得手段と作成手段とを備える装置として構成されて、検索キーワードを受け付けて検索を行い、その検索キーワードを含む検索ログ情報を生成して保存するという処理を行う検索システムにより生成された検索ログ情報を使って、電子掲示板を自動作成するという構成を採る電子掲示板作成装置で実行される電子掲示板作成方法であって、
上記取得手段が、上記検索システムへの検索要求で指定された検索キーワードが掲示板のキーワードを保持する保持手段に保持されていない場合に、上記検索ログ情報を参照することで、その検索キーワードについての検索情報を取得し、
上記作成手段が、上記取得手段の取得した検索情報に従って、上記検索キーワードの利用要求の大きさを評価し、それに基づいて、その検索キーワードについての掲示板を新規に作成するのか否かを判断して、新規に作成することを判断する場合に、その検索キーワードを掲示板キーワードとする掲示板を作成することを、
特徴とする電子掲示板作成方法。
【請求項５】
取得手段と特定手段と決定手段と実行手段とを備える装置として構成されて、検索キーワードを受け付けて検索を行い、その検索キーワードを含む検索ログ情報を生成して保存するという処理を行う検索システムにより生成された検索ログ情報を使って、電子掲示板を自動作成するという構成を採る電子掲示板作成装置で実行される電子掲示板作成方法であって、
上記取得手段が、上記検索ログ情報を参照することで、上記検索ログ情報に記録されている各検索キーワードについての検索情報を取得し、
上記特定手段が、上記取得手段の取得した検索情報に従って、上記各検索キーワードの利用要求の大きさを評価し、それに基づいて、利用要求の大きい検索キーワードを登録候補のキーワードとして特定し、利用要求の小さい検索キーワードを削除候補のキーワードとして特定し、
上記決定手段が、上記特定手段の特定した登録候補のキーワードが掲示板のキーワードを保持する保持手段に保持されていない場合に、その登録候補のキーワードを登録対象のキーワードとして決定し、上記特定手段の特定した削除候補のキーワードがその保持手段に保持されている場合に、その削除候補のキーワードを削除対象のキーワードとして決定し、
上記実行手段が、上記決定手段が登録対象として決定したキーワードを掲示板キーワードとする掲示板を作成し、上記決定手段が削除対象として決定したキーワードを掲示板キーワードとする掲示板を削除することを、
特徴とする電子掲示板作成方法。
【請求項６】
検索キーワードを受け付けて検索を行い、その検索キーワードを含む検索ログ情報を生成して保存するという処理を行う検索システムにより生成された検索ログ情報を使って、電子掲示板を自動作成するという構成を採る電子掲示板作成装置の実現のために用いられる電子掲示板作成処理用プログラムであって、
コンピュータを、
上記検索システムへの検索要求で指定された検索キーワードが掲示板のキーワードを保持する保持手段に保持されていない場合に、上記検索ログ情報を参照することで、その検索キーワードについての検索情報を取得する手段と、
上記取得された検索情報に従って、上記検索キーワードの利用要求の大きさを評価し、それに基づいて、その検索キーワードについての掲示板を新規に作成するのか否かを判断して、新規に作成することを判断する場合に、その検索キーワードを掲示板キーワードとする掲示板を作成する手段として機能させるための電子掲示板作成処理用プログラム。
【請求項７】
検索キーワードを受け付けて検索を行い、その検索キーワードを含む検索ログ情報を生成して保存するという処理を行う検索システムにより生成された検索ログ情報を使って、電子掲示板を自動作成するという構成を採る電子掲示板作成装置の実現のために用いられる電子掲示板作成処理用プログラムであって、
コンピュータを、
上記検索ログ情報を参照することで、上記検索ログ情報に記録されている各検索キーワードについての検索情報を取得する手段と、
上記取得された検索情報に従って、上記各検索キーワードの利用要求の大きさを評価し、それに基づいて、利用要求の大きい検索キーワードを登録候補のキーワードとして特定し、利用要求の小さい検索キーワードを削除候補のキーワードとして特定する手段と、
上記特定された登録候補のキーワードが掲示板のキーワードを保持する保持手段に保持されていない場合に、その登録候補のキーワードを登録対象のキーワードとして決定し、上記特定された削除候補のキーワードがその保持手段に保持されている場合に、その削除候補のキーワードを削除対象のキーワードとして決定する手段と、
上記登録対象として決定されたキーワードを掲示板キーワードとする掲示板を作成し、上記削除対象として決定されたキーワードを掲示板キーワードとする掲示板を削除する手段として機能させるための電子掲示板作成処理用プログラム。
【請求項８】
請求項６又は７に記載の電子掲示板作成処理用プログラムを記録したコンピュータ読み取り可能な記録媒体。
【発明の詳細な説明】
【０００１】
【発明の属する技術分野】
本発明は、利用要求の大きい電子掲示板を自動作成する電子掲示板作成装置及び方法と、その電子掲示板を自動作成する電子掲示板作成処理用プログラムと、その電子掲示板作成処理用プログラムを記録したコンピュータ読み取り可能な記録媒体とに関する。
【０００２】
【従来の技術】
インターネットなどで提供されている電子掲示板は、ユーザに対して情報共有の場を提供している。ユーザは、電子掲示板に情報を書き込んだり、電子掲示板に書き込まれている情報を参照し、これにより情報共有の場が実現されることになる。
【０００３】
従来では、こういう情報についてユーザの間で情報共有の場を持ちたいと考えた者が、その情報についての電子掲示板を作成して、それを情報を共有したいと考えるユーザに提供するようにしている。
【０００４】
【発明が解決しようとする課題】
このように、従来技術では、ある情報についての電子掲示板が作成されていない場合には、その情報について情報共有の場を持ちたいと考えた者が、その情報についての電子掲示板を作成するようにしている。
【０００５】
したがって、従来技術に従っていると、ある情報についての電子掲示板を作成して欲しいと考える者が多数存在しても、その中から実際に電子掲示板を作成する者が現れない限り、その情報についての電子掲示板が作成されることはないという問題点がある。
【０００６】
このように、従来技術では、利用要求の大きい電子掲示板を自動作成する技術が構築されておらず、これがために、利用要求の大きい情報についての情報共有の場が提供されないことが起こるという問題点がある。
【０００７】
本発明はかかる事情に鑑みてなされたものであって、利用要求の大きい電子掲示板を自動作成する新たな電子掲示板作成技術の提供を目的とする。
【０００８】
【課題を解決するための手段】
〔ｉ〕検索システムへの検索要求で指定された検索キーワードのみを処理対象とする本発明の構成
この目的を達成するために、本発明により実現される電子掲示板作成装置は、検索システムへの検索要求で指定された検索キーワードのみを処理対象とする場合には、検索キーワードを受け付けて検索を行い、その検索キーワードを含む検索ログ情報を生成して保存するという処理を行う検索システムにより生成された検索ログ情報を使って、電子掲示板を自動作成することを実現するために、（１）検索システムへの検索要求で指定された検索キーワードが掲示板のキーワードを保持する保持手段に保持されていない場合に、検索ログ情報を参照することで、その検索キーワードについての検索情報を取得する取得手段と、（２）取得手段の取得した検索情報に従って、検索キーワードの利用要求の大きさを評価し、それに基づいて、その検索キーワードについての掲示板を新規に作成するのか否かを判断して、新規に作成することを判断する場合に、その検索キーワードを掲示板キーワードとする掲示板を作成する作成手段とを備えるように構成する。
〔ii〕検索システムの検索ログ情報に記録されている各検索キーワードを処理対象とする本発明の構成
この目的を達成するために、本発明により実現される電子掲示板作成装置は、検索システムの検索ログ情報に記録されている各検索キーワードを処理対象とする場合には、検索キーワードを受け付けて検索を行い、その検索キーワードを含む検索ログ情報を生成して保存するという処理を行う検索システムにより生成された検索ログ情報を使って、電子掲示板を自動作成することを実現するために、（１）検索ログ情報を参照することで、検索ログ情報に記録されている各検索キーワードについての検索情報を取得する取得手段と、（２）取得手段の取得した検索情報に従って、各検索キーワードの利用要求の大きさを評価し、それに基づいて、利用要求の大きい検索キーワードを登録候補のキーワードとして特定し、利用要求の小さい検索キーワードを削除候補のキーワードとして特定する特定手段と、（３）特定手段の特定した登録候補のキーワードが掲示板のキーワードを保持する保持手段に保持されていない場合に、その登録候補のキーワードを登録対象のキーワードとして決定し、特定手段の特定した削除候補のキーワードがその保持手段に保持されている場合に、その削除候補のキーワードを削除対象のキーワードとして決定する決定手段と、（４）決定手段が登録対象として決定したキーワードを掲示板キーワードとする掲示板を作成し、決定手段が削除対象として決定したキーワードを掲示板キーワードとする掲示板を削除する実行手段とを備えるように構成する。
この構成を採るときに、検索システムへの検索要求で指定された検索キーワードを掲示板キーワードとする掲示板が作成されていないときに、取得手段を起動することで、掲示板の新規作成を制御する制御手段を備えることがある。
【０００９】
次に、検索システムの検索ログ情報に記録されている各検索キーワードを処理対象とする本発明の処理について説明する。
上述の〔ii〕のように構成される本発明により実現される電子掲示板作成装置では、取得手段は、検索システムへの検索要求で指定された検索キーワードの指す掲示板が作成されていないことなどにより起動されると、検索システムにより作成された検索ログ情報を参照することで、検索ログ情報に記録されている各検索キーワードについての検索情報（ある期間に発行された各検索キーワードの検索要求回数や各検索キーワードの検索件数などの情報）を取得する。
【００１０】
この取得処理を受けて、特定手段は、検索要求回数が増加し、かつ検索件数の少ない検索キーワードを特定することなどにより、掲示板キーワードへの登録候補となる利用要求の大きなキーワードを特定するとともに、検索要求回数が減少している検索キーワードを特定することなどにより、掲示板キーワードからの削除候補となる利用要求の小さなキーワードを特定する。
【００１１】
この特定処理を受けて、決定手段は、登録候補として特定されたキーワードの中から掲示板キーワードとなっていないものを抽出することで、掲示板キーワードへの登録対象となるキーワードを最終的に決定するとともに、削除候補として特定されたキーワードの中から掲示板のキーワードとなっているものを抽出することで、掲示板キーワードからの削除対象となるキーワードを最終的に決定する。
【００１２】
この決定処理を受けて、実行手段は、登録対象として決定されたキーワードを掲示板キーワードとする掲示板を作成するとともに、削除対象として決定されたキーワードを掲示板キーワードとする掲示板を削除する。
【００１３】
このようにして、本発明によれば、ユーザは、自分の欲しい情報についての掲示板が作成されていない場合に、その掲示板の利用要求が大きいときには、その掲示板が自動作成されるようになることから、不足している情報を補完できるようになる。
【００１４】
そして、本発明によれば、利用要求の大きい掲示板を自動作成できるようになるとともに、利用要求の小さい掲示板を自動削除できるようになることから、掲示板の管理の手間を大幅に削減できるようになる。
【００１５】
そして、本発明によれば、検索ログ情報をリアルタイムに分析し、それに基づいて掲示板を自動生成できるようになることから、ユーザのニーズとのタイムラグなしに掲示板を提供できるようになる。
【００１６】
【発明の実施の形態】
以下、実施の形態に従って本発明を詳細に説明する。
【００１７】
図１に、本発明を具備するシステムの一実施形態例を図示する。
【００１８】
図中、１はクライアント、２はＷebサーバ、3 はＷeb検索システム、４は検索ログファイル、５は本発明に特徴的な掲示板の管理を行う掲示板管理システム、６は掲示板管理システム５により作成され参照される掲示板キーワードデータベース、７は掲示板管理システム５により作成され参照される書込情報データベースである。
【００１９】
ここで、「掲示板の管理」とは、掲示板の管理者や書き込みを行うユーザがスレッド（１つの特定の話題についての書き込みを行う場所、及びその場所における全ての書き込みのこと）を作成したり、削除することを言う。
【００２０】
図２に、検索ログファイル４の管理データの一実施形態例、図３に、掲示板キーワードデータベース６の管理データの一実施形態例、図４に、書込情報データベース７の管理データの一実施形態例を図示する。
【００２１】
検索ログファイル４は、Ｗeb検索システム３の行った検索処理のログ情報を管理するものであり、図２に示すように、検索要求を発行したユーザのＩＤ（Ｃookie などを使って取得する）と、その検索要求で指定された検索キーワード（例えば、特定の話題についてのキーワード）と、その検索要求の発行された日時の情報と、その検索結果の情報の件数などを管理する。
【００２２】
ここで、検索ログファイル４は、掲示板管理システム５を利用するユーザからの検索要求に応答して実行された検索処理のログ情報を管理する他に、掲示板管理システム５を利用しないユーザからの検索要求に応答して実行された検索処理のログ情報についても管理するという構成を採っている。
【００２３】
また、掲示板キーワードデータベース６は、クライアント１に掲示する掲示板のキーワード（掲示板はそのキーワードについての書込情報を掲示する。以下、掲示板キーワードと称する）を管理するものであり、図３に示すように、それらの掲示板キーワードをリスト形式で管理する。
【００２４】
また、書込情報データベース７は、掲示板管理システム５の掲示する掲示板に書き込まれた情報を管理するものであり、図４に示すように、掲示板キーワードと対応をとりつつ掲示板への書込情報を管理することで、各掲示板に書き込まれた情報を管理する。
【００２５】
図１に示すように、本発明に特徴的な掲示板の管理を行う掲示板管理システム５は、掲示板書込部５０と、検索ログ解析機能を有する掲示板自動作成削除部５１とを備える。
【００２６】
この掲示板管理システム５に展開される掲示板管理部５０及び掲示板自動作成削除部５１は、具体的にはプログラムで実現されるものであり、これらのプログラムは、計算機が読み取り可能な半導体メモリなどの適当な記録媒体に格納することができる。
【００２７】
このように構成される図１に示すシステムでは、クライアント１が検索キーワードを指定して検索要求を発行すると、Ｗebサーバ２は、その検索要求を受け取って、Ｗeb検索システム３に対して、その検索キーワードの指す情報の検索を指示するとともに、掲示板管理システム５に対して、その検索キーワードを通知する。
【００２８】
この検索指示を受けて、Ｗeb検索システム３は、検索指示で指定された検索キーワードを持つ情報を検索して、Ｗebサーバ２に返信するとともに、その検索処理のログ情報を検索ログファイル４に登録する。
【００２９】
Ｗebサーバ２は、このＷeb検索システム３の処理を受けて、Ｗeb検索システム３から受け取る検索結果をユーザに表示する処理を行う。
【００３０】
一方、この検索キーワードの通知を受けて、掲示板管理システム５は、通知された検索キーワードが掲示板キーワードデータベース６に登録されているのか否かを判断することで、通知された検索キーワードについての掲示板を作成しているのか否かを判断して、作成している場合には、Ｗebサーバ２を介して、その掲示板に書き込まれている情報をユーザに掲示する。
【００３１】
そして、通知された検索キーワードについての掲示板を作成していない場合には、検索ログファイル４に管理される検索ログ情報を解析することで、掲示板を新規に作成する必要があるのか否かを判断して、新規に作成する必要があることを判断するときには、通知された検索キーワードについての掲示板を新規に作成して、Ｗebサーバ２を介し、それをユーザに掲示するとともに、その検索キーワードを掲示板キーワードデータベース６に登録する。
【００３２】
Ｗebサーバ２は、この掲示板管理システム５の処理を受けて、掲示板管理システム５から受け取る掲示板をユーザに掲示する処理を行う。
【００３３】
この掲示板の掲示に応答してユーザが掲示板に情報を書き込むと、Ｗebサーバ２は、その書込情報を受け取り、掲示板管理システム５に対して、その書込情報を通知してくるので、掲示板管理システム５は、その書込情報を受け取って書込情報データベース７に登録する。
【００３４】
このようにして、本発明に特徴的な掲示板の管理を行う掲示板管理システム５は、検索要求で指定される検索キーワードについての掲示板が作成されていない場合に、その掲示板を新規に作成する必要があるのか否かを判断して、新規に作成する必要があるときには、その掲示板を新規に作成してユーザに掲示していくように処理するのである。
【００３５】
次に、図５ないし図８に示す処理フローに従って、この掲示板管理システム５の実行する処理について詳細に説明する。
【００３６】
ここで、図５及び図６に示す処理フローは、掲示板管理システム５に展開される掲示板書込部５０の実行する処理フローであり、図７及び図８に示す処理フローは、掲示板管理システム５に展開される掲示板自動作成削除部５１の実行する処理フローである。
【００３７】
先ず最初に、掲示板書込部５０の実行する処理について説明する。
【００３８】
掲示板書込部５０は、Ｗebサーバ２から検索キーワードの通知があると、図５及び図６の処理フローに示すように、先ず最初に、ステップ１で、その検索キーワードを受け取り、続くステップ２で、その受け取った検索キーワードが掲示板キーワードデータベース６に掲示板キーワードとして登録されているのか否かを検索する。
【００３９】
上述したように、掲示板キーワードデータベース６は、クライアント１に掲示する掲示板のキーワード（掲示板キーワード）を管理しているので、掲示板書込部５０は、Ｗebサーバ２から検索キーワードの通知があると、このステップ２で、その検索キーワードについての掲示板が作成されているのか否かを検索するのである。
【００４０】
続いて、ステップ３で、この検索処理により、Ｗebサーバ２から通知された検索キーワードが掲示板キーワードデータベース６に登録されていることが得られたのか否かを判断して、登録されていないことを判断するときには、ステップ４に進んで、掲示板自動作成削除部５１を呼び出すことで、掲示板キーワードデータベース６に登録される掲示板キーワードを更新する。
【００４１】
後述するように、掲示板自動作成削除部５１は、掲示板キーワードデータベース６に新たな掲示板キーワードを登録したり、掲示板キーワードデータベース６に登録されている掲示板キーワードを削除する処理を実行するので、この掲示板自動作成削除部５１を呼び出すことで、掲示板キーワードデータベース６に登録される掲示板キーワードを更新するのである。
【００４２】
続いて、ステップ５で、Ｗebサーバ２から通知された検索キーワードが掲示板キーワードデータベース６に新規に登録されたのか否かを検索する。すなわち、掲示板自動作成削除部５１の実行する掲示板キーワードの新規登録処理に従って、Ｗebサーバ２から通知された検索キーワードが掲示板キーワードとして新規に登録されたのか否かを検索するのである。
【００４３】
続いて、ステップ６で、この検索処理により、Ｗebサーバ２から通知された検索キーワードが掲示板キーワードデータベース６に新規に登録されたのか否かを判断して、新規に登録されていないことを判断するときには、ステップ７に進んで、Ｗebサーバ２に対して、検索キーワードについての掲示板が作成されていないことの表示を指示して、処理を終了する。
【００４４】
一方、ステップ３で、Ｗebサーバ２から通知された検索キーワードが掲示板キーワードデータベース６に登録されていることを判断するときと、ステップ６で、Ｗebサーバ２から通知された検索キーワードが掲示板キーワードデータベース６に新規に登録されたことを判断するときには、ステップ８に進んで、Ｗebサーバ２に対して、検索キーワードについての掲示板が作成されていることの表示を指示する。
【００４５】
この表示指示を受け取ると、Ｗebサーバ２は、クライアント１に対して、検索要求で指定された検索キーワードについての掲示板が作成されていることを表示し、この表示を受けて、ユーザは、その掲示板に対する書込・参照要求を発行してくる。
【００４６】
これから、続くステップ９で、ユーザから掲示板に対する書込・参照要求が発行されたのか否かを判断して、発行されないことを判断するときには、処理を終了し、発行されたことを判断するときは、ステップ１０に進んで、書込情報データベース７から、検索要求で指定された検索キーワード（掲示板キーワード）に関する書込情報を読み込み、Ｗebサーバ２に対して、その読み込んだ書込情報の表示を指示することで掲示板の表示を指示する。
【００４７】
なお、ステップ４の処理に従って、検索キーワードが掲示板キーワードデータベース６に新規に登録された場合には、書込情報データベース７には未だ書込情報が格納されていないので、何も書込情報を持たない掲示板の表示を指示することになる。
【００４８】
この表示指示を受け取ると、Ｗebサーバ２は、これまでに書き込まれた情報を持つ掲示板を表示し、この表示を受けて、ユーザは、掲示板に情報を書き込む場合には、掲示板への書込指示を発行してくる。
【００４９】
これから、続くステップ１１で、ユーザから掲示板への書込指示が発行されたのか否かを判断して、発行されないことを判断するときには、処理を終了し、発行されたことを判断するときには、ステップ１２に進んで、ユーザの書き込んだ情報をＷebサーバ２を介して受け取り、表示した掲示板の掲示板キーワードとマージする対データの形にして、その書込情報を書込情報データベース７に登録して、処理を終了する。
【００５０】
次に、掲示板自動作成削除部５１の実行する処理について説明する。
【００５１】
掲示板自動作成削除部５１は、上述した処理に従って掲示板書込部５０から呼び出されると、図７及び図８の処理フローに示すように、先ず最初に、ステップ１００で、掲示板キーワードデータベース６に登録されている掲示板キーワードを読み出す。
【００５２】
続いて、ステップ１０１で、検索ログファイル４を参照することで、現時点から遡るある期間（例えば１か月）に発行された各検索キーワードの検索要求回数をカウントする。検索ログファイル４は、検索処理された検索キーワードの履歴を保存しているので、それを参照することで、現時点から遡るある期間に発行された各検索キーワードの検索要求回数をカウントするのである。
【００５３】
続いて、ステップ１０２で、そのカウントした各検索キーワードの検索要求回数を保存する。続いて、ステップ１０３で、そのようにして保存してある各検索キーワードの検索要求回数の時系列データを取得する。続いて、ステップ１０４で、その取得した時系列データに従って、検索要求回数が大きく増加している検索キーワードを抽出する。
【００５４】
続いて、ステップ１０５で、検索要求回数が大きく増加している検索キーワードを抽出できたのか否かを判断して、抽出できたことを判断するときは、ステップ１０６に進んで、検索ログファイル４を参照することで、その抽出した検索キーワードの検索件数（現時点から遡るある期間の検索件数）を取得する。
【００５５】
続いて、ステップ１０７で、その取得した検索件数に従って、抽出した検索要求回数が大きく増加している検索キーワードの中から、検索件数の少ない検索キーワードを抽出することで、掲示板キーワードデータベース６への登録対象となる掲示板キーワードをリストアップする。
【００５６】
すなわち、検索要求回数が大きく増加しているものの、検索件数が少ない検索キーワードについては、掲示板を新規に作成することでユーザに有用な情報を提供できるようになることを考慮して、掲示板キーワードデータベース６への登録対象の掲示板キーワードとしてリストアップするのである。
【００５７】
続いて、ステップ１０８で、そのリストアップした掲示板キーワードと、ステップ１００で読み出した掲示板キーワードとを照合し、続くステップ１０９で、この照合処理により、新たにリストアップされた掲示板キーワードが存在するのか否かを判断する。
【００５８】
この判断処理により、新たにリストアップされた掲示板キーワードが存在することを判断するときには、ステップ１１０に進んで、新たにリストアップされた掲示板キーワードを掲示板キーワードデータベース６に新規に登録し、続くステップ１１１で、書込情報データベース７に、その新規に登録した掲示板キーワードについての書込情報の登録域を作成することで、その新規に登録した掲示板キーワードについての掲示板を作成する。
【００５９】
一方、ステップ１０９で、新たにリストアップされた掲示板キーワードが存在しないことを判断するときには、新たな掲示板を作成する必要がないので、ステップ１１０／ステップ１１１の処理を省略する。
【００６０】
そして、ステップ１０５で、検索要求回数が大きく増加している検索キーワードが存在しないことを判断するときにも、新たな掲示板を作成する必要がないので、ステップ１０６〜ステップ１１１の処理を省略する。
【００６１】
続いて、ステップ１１２で、ステップ１０３で取得した時系列データに従って、検索要求回数が大きく減少している検索キーワードを抽出する。続いて、ステップ１１３で、検索要求回数が大きく減少している検索キーワードを抽出できたのか否かを判断して、抽出できたことを判断するときは、ステップ１１４に進んで、その抽出した検索キーワードを、掲示板キーワードデータベース６からの削除対象となる掲示板キーワードとしてリストアップする。
【００６２】
すなわち、検索要求回数が大きく減少している検索キーワードについては、掲示板を提供する必要がなくなったことを考慮して、掲示板キーワードデータベース６からの削除対象の掲示板キーワードとしてリストアップするのである。
【００６３】
続いて、ステップ１１５で、そのリストアップした掲示板キーワードと、ステップ１００で読み出した掲示板キーワードとを照合し、続くステップ１１６で、この照合処理により、リストアップした掲示板キーワードの中に掲示板キーワードデータベース６に登録されているものがあるのか否かを判断する。
【００６４】
この判断処理により、リストアップした掲示板キーワードの中に掲示板キーワードデータベース６に登録されているものがあることを判断するときには、ステップ１１７に進んで、その既登録の掲示板キーワードを掲示板キーワードデータベース６から削除し、続くステップ１１８で、書込情報データベース７から、その削除した掲示板キーワードについての書込情報の登録域を削除することで、その削除した掲示板キーワードについての掲示板を削除して、処理を終了する。
【００６５】
一方、ステップ１１６で、リストアップした掲示板キーワードの中に掲示板キーワードデータベース６に登録されているものが存在しないことを判断するときには、掲示板を削除する必要がないので、ステップ１１７／ステップ１１８の処理を省略して、そのまま処理を終了する。
【００６６】
そして、ステップ１１３で、検索要求回数が大きく減少している検索キーワードが存在しないことを判断するときにも、掲示板を削除する必要がないので、ステップ１０６〜ステップ１１１の処理を省略して、そのまま処理を終了する。
【００６７】
ここで、この図７及び図８の処理フローに従う場合、掲示板自動作成削除部５１は、図９（ａ）に示すように、掲示板書込部５０から呼び出されるときに、検索ログファイル４に登録されている各検索キーワードの例えば１か月間の検索要求回数をカウントして保存することで、その時系列データを取得するように処理したが、図９（ｂ）に示すように、掲示板書込部５０から呼び出されるときに、その時点を起点として、検索ログファイル４に登録されている各検索キーワードの例えば１か月毎の検索要求回数をカウントすることで、その時系列データを取得するように処理してもよい。
【００６８】
このようにして、掲示板管理システム５は、検索要求で指定される検索キーワードについての掲示板が作成されていないときを契機にして検索ログファイル４を参照することで、検索要求回数が増加しているものの、検索件数の少ない検索キーワードがあるのか否かを判断して、そのような検索キーワードがある場合には、それを掲示板キーワードとして登録することで、その検索キーワードについての掲示板を自動的に作成するように処理するとともに、検索要求回数が減少している検索キーワードがあるのか否かを判断して、そのような検索キーワードがある場合には、それを掲示板キーワードから削除することで、その検索キーワードについての掲示板を自動的に削除するように処理するのである。
【００６９】
図１０に、この実施形態例のブロック構成を図示する。
【００７０】
この図に示すように、掲示板書込部５０は、Ｗebサーバ２から通知された検索キーワードが掲示板キーワードデータベース６に登録されているのか否かを判断する判断部５００と、Ｗebサーバ２から通知された検索キーワードが掲示板キーワードデータベース６に登録されていない場合に、掲示板自動作成削除部５１を呼び出す呼出部５０１と、掲示板の掲示・書き込みを実行する掲示書込部５０２とを備える。
【００７１】
一方、掲示板自動作成削除部５１は、検索ログファイル４を参照することで、検索ログファイル４に格納される各検索キーワードの検索要求回数／検索件数を取得する取得部５１０と、取得された検索要求回数の時系列データを保存する保存部５１１と、保存された検索要求回数と取得された検索件数とから登録対象／削除対象となる掲示板キーワードをリストアップする特定部５１２と、リストアップされた掲示板キーワードと掲示板キーワードデータベース６に登録されている掲示板キーワードとから、掲示板キーワードデータベース６に追加する掲示板キーワードと、掲示板キーワードデータベース６から削除する掲示板キーワードとを決定する決定部５１３と、決定された掲示板キーワードに従って、掲示板を作成し削除する作成削除部５１４とを備える。
【００７２】
この図１０に示す実施形態例では、検索要求で指定される検索キーワードについての掲示板が作成されていないときを契機にして、掲示板自動作成削除部５１を起動するという構成を採った。
【００７３】
この構成を採ると、ユーザが必要とするときに掲示板を作成できるようになるという利点があるが、本発明はこれに限られるものではない。
【００７４】
例えば、図１１に示すように、規定の周期に到達するときを契機にして、掲示板自動作成削除部５１を起動するという構成を採ってもよい。
【００７５】
このときには、掲示板書込部５０は、図１２の処理フローに従って、掲示板の掲示処理を実行することになる。
【００７６】
また、この図１０に示す実施形態例では、掲示板自動作成削除部５１は、検索ログファイル４に記録される各検索キーワードを処理対象とするという構成を採った。
【００７７】
この構成を採ると、掲示板キーワードデータベース６に登録される全ての掲示板キーワードの見直しをできるという利点があるが、本発明はこれに限られるものではない。
【００７８】
例えば、検索要求で指定される検索キーワードについての掲示板が作成されていないときに起動されて、その検索キーワードのみを処理対象として、その検索キーワードについての掲示板を新規に作成するのか否かを判断して、新規に作成する条件が成立するときに、その掲示板のみを作成するという構成を採ってもよい。
【００７９】
このときには、掲示板自動作成削除部５１は、図１３の処理フローに従って掲示板を作成する処理を行うことになる。
【００８０】
図示実施形態例に従って本発明を説明したが、本発明はこれに限定されるものではない。例えば、実施形態例では、検索要求回数及び検索件数を使って、掲示板キーワードとして登録する検索キーワードであるのか否かを判断するという構成を採ったが、検索要求回数のみを使って判断するという構成を採ってもよい。また、実施形態例では、検索要求回数を使って、掲示板キーワードから削除する検索キーワードであるのか否かを判断するという構成を採ったが、検索要求回数及び検索件数を使って判断するという構成を採ってもよい。
【００８１】
【発明の効果】
以上説明したように、本発明によれば、ユーザは、自分の欲しい情報についての掲示板が作成されていない場合に、その掲示板の利用要求が大きいときには、その掲示板が自動作成されるようになることから、不足している情報を補完できるようになる。
【００８２】
そして、本発明によれば、利用要求の大きい掲示板を自動作成できるようになるとともに、利用要求の小さい掲示板を自動削除できるようになることから、掲示板の管理の手間を大幅に削減できるようになる。
【００８３】
そして、本発明によれば、検索ログ情報をリアルタイムに分析し、それに基づいて掲示板を自動生成できるようになることから、ユーザのニーズとのタイムラグなしに掲示板を提供できるようになる。
【図面の簡単な説明】
【図１】本発明を具備するシステムの一実施形態例である。
【図２】検索ログファイルの管理データの一実施形態例である。
【図３】掲示板キーワードデータベースの管理データの一実施形態例である。
【図４】書込情報データベースの管理データの一実施形態例である。
【図５】掲示板書込部の実行する処理フローの一実施形態例である。
【図６】掲示板書込部の実行する処理フローの一実施形態例である。
【図７】掲示板自動作成削除部の実行する処理フローの一実施形態例である。
【図８】掲示板自動作成削除部の実行する処理フローの一実施形態例である。
【図９】検索要求回数の時系列データの取得処理の説明図である。
【図１０】実施形態例のブロック構成図である。
【図１１】他の実施形態例のブロック構成図である。
【図１２】掲示板書込部の実行する処理フローの他の実施形態例である。
【図１３】掲示板自動作成削除部の実行する処理フローの他の実施形態例である。
【符号の説明】
１    クライアント
２    Ｗebサーバ
３    Ｗeb検索システム
４    検索ログファイル
５    掲示板管理システム
６    掲示板キーワードデータベース
７    書込情報データベース
５０  掲示板書込部
５１  掲示板自動作成削除部
【図１】
0003762226.tif 000002
【図２】
0003762226.tif 000003
【図３】
0003762226.tif 000004
【図４】
0003762226.tif 000005
【図５】
0003762226.tif 000006
【図６】
0003762226.tif 000007
【図７】
0003762226.tif 000008
【図８】
0003762226.tif 000009
【図９】
0003762226.tif 000010
【図１０】
0003762226.tif 000011
【図１１】
0003762226.tif 000012
【図１２】
0003762226.tif 000013
【図１３】
0003762226.tif 000014